(57)【特許請求の範囲】
【請求項１】
複数の対象を所定のルールに基づいて複数のクラスに分類する分類手段と、
前記クラスにそれぞれ対応する複数の図形オブジェクトを配置する図形オブジェクト配置手段と、
前記分類手段で分類された複数の対象にそれぞれ対応する対象データの内、前記配置された図形オブジェクトに対応するルールを満足する対象に対応する対象データを、その図形オブジェクトに接触するように配置する配置手段と、
前記配置された対象データをその配置された図形オブジェクトと接触させながら動かす動かし手段と、
前記配置された図形オブジェクトを動かす図形オブジェクト動かし手段とを備え、
前記動かし手段は、前記図形オブジェクト動かし手段により前記配置された複数個の図形オブジェクトが互いに接触するように動かされた場合に、その接触するように動かされた複数個の図形オブジェクトに対応するルールを同時に満足する対象に対応する対象データを接触したままの状態にするとともに、その接触するように動かされた複数個の図形オブジェクトに対応するルールを同時には満足しない対象に対応する対象データを離反するように動かす、表示装置。
【請求項２】
複数の対象を所定のルールに基づいて複数のクラスに分類する分類手段と、
前記クラスにそれぞれ対応する複数の図形オブジェクトを配置する図形オブジェクト配置手段と、
前記分類手段で分類された複数の対象にそれぞれ対応する対象データの内、前記配置された図形オブジェクトに対応するルールを満足する対象に対応する対象データを、その図形オブジェクトに接触するように配置する配置手段と、
前記配置された対象データをその配置された図形オブジェクトと接触させながら動かす動かし手段と、
前記配置された図形オブジェクトを動かす図形オブジェクト動かし手段とを備え、
前記図形オブジェクト動かし手段により複数個の図形オブジェクトが互いに接触しないように配置されているときに、前記複数個の図形オブジェクトのうち２以上の図形オブジェクトに対応するルールを同時に満足する対象がある場合には、前記動かし手段は、その対象に対応する対象データが前記２以上の図形オブジェクトのそれぞれに接触するときがあるように動かす、表示装置。
【請求項３】
前記対象データは、魚の形状を有する魚アイコンであり、
前記図形オブジェクトは、前記魚に対する食餌の形状を有する食餌オブジェクトである請求項１または２記載の表示装置。
【請求項４】
前記魚アイコンの回遊する方向は、前記クラス内において同じであり、前記表示が隣接して行われるクラス間において異なるように決定される請求項３記載の表示装置。
【請求項５】
前記魚アイコンの回遊する軌道は、螺旋軌道である請求項４記載の表示装置。
【請求項６】
前記魚アイコンの回遊する周期は、ユーザの指示に応じて調節可能である請求項４記載の表示装置。
【請求項７】
前記対象は、時間に関する性質を有しており、
前記魚アイコンの回遊する速度および深度のうち少なくともいずれか一方は、対応する前記対象の時間に関する性質に応じて決定される請求項３記載の表示装置。
【請求項８】
前記時間に関する性質とは、前記対象の新旧であり、
前記魚アイコンの回遊する深度は、対応する前記対象の新旧に応じて決定され、
前記回遊する深度が所定値以下の魚アイコンは、水面から飛び出す動作を行う請求項７記載の表示装置。
【請求項９】
前記魚アイコンの体表面には、対応する前記対象に関する情報が表示される請求項３記載の表示装置。
【請求項１０】
前記情報の表示は、切り換え可能な複数の情報表示モードに応じて行われる請求項９記載の表示装置。
【請求項１１】
前記魚アイコンは、ユーザによって捕捉された際には震動を行う請求項３記載の表示装置。
【請求項１２】
前記魚アイコンは、ユーザによって捕捉された際には所定の生け簀領域に入れられる請求項３記載の表示装置。
【請求項１３】
前記捕捉は、前記クラスごとに一括して可能である請求項１１または１２記載の表示装置。
【請求項１４】
複数の対象を所定のルールに基づいて複数のクラスに分類する分類ステップと、
前記クラスにそれぞれ対応する複数の図形オブジェクトを配置する図形オブジェクト配置ステップと、
前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、
前記配置された対象データをその配置された図形オブジェクトと接触させながら動かす動かしステップと、
前記配置された図形オブジェクトを動かす図形オブジェクト動かしステップとを備え、
前記動かしステップでは、前記図形オブジェクト動かしステップにより前記配置された複数個の図形オブジェクトが互いに接触するように動かされた場合に、その接触するように動かされた複数個の図形オブジェクトに対応するルールを同時に満足する対象に対応する対象データを接触したままの状態にするとともに、その接触するように動かされた複数個の図形オブジェクトに対応するルールを同時には満足しない対象に対応する対象データを離反するように動かす、表示方法。
【請求項１５】
複数の対象を所定のルールに基づいて複数のクラスに分類する分類ステップと、
前記クラスにそれぞれ対応する複数の図形オブジェクトを配置する図形オブジェクト配置ステップと、
前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、
前記配置された対象データをその配置された図形オブジェクトと接触させながら動かす動かしステップと、
前記配置された図形オブジェクトを動かす図形オブジェクト動かしステップとを備え、
前記図形オブジェクト動かしステップにより複数個の図形オブジェクトが互いに接触しないように配置されているときに、前記複数個の図形オブジェクトのうち２以上の図形オブジェクトに対応するルールを同時に満足する対象がある場合には、前記動かしステップは、その対象に対応する対象データが前記２以上の図形オブジェクトのそれぞれに接触するときがあるように動かす、表示方法。
【請求項１６】
請求項１４または１５記載の表示方法の、複数の対象を所定のルールに基づいて複数のクラスに分類する分類ステップと、前記クラスにそれぞれ対応させて図形オブジェクトを配置する図形オブジェクト配置ステップと、前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、前記配置された対象データをその配置された図形オブジェクトと接触させながら動かす動かしステップと、前記配置された図形オブジェクトを動かす図形オブジェクト動かしステップとをコンピュータに実行させるためのプログラム。
【請求項１７】
請求項１６記載のプログラムを記録した記録媒体であって、コンピュータにより処理可能な記録媒体。
【発明の詳細な説明】
【０００１】
【発明の属する技術分野】
本発明は、たとえばパーソナルコンピュータのアイコン表示などに利用される表示装置、表示方法、プログラム、および媒体に関するものである。
【０００２】
【従来の技術】
これまで、音楽などの音声データは、アナログデータとして磁気テープなどの記録媒体に記録され、テープレコーダなどのアナログ機器を利用して再生されることが普通であった。
【０００３】
近年、データ圧縮技術の進歩や光ディスクなど記録媒体の大容量化によって、前述のような音声データは、デジタルデータとしてＣＤ−ＲＯＭ（ｃｏｍｐａｃｔ  ｄｉｓｋ−ｒｅａｄ  ｏｎｌｙ  ｍｅｍｏｒｙ）やＭＤ（ｍｉｎｉ  ｄｉｓｋ）などの記録媒体に記録され、パーソナルコンピュータなどのデジタル機器を利用して再生されることが多くなってきている。
【０００４】
このようなデジタル化の進展による大量な音声データの一括管理を行うために、これらの音声データを、（１）ユーザの要望に応じてグループ分けしてアイコン表示したり、（２）適切な検索ルールにしたがってデータ検索してアイコン表示したりするための技術が重要になってきている。
【０００５】
たとえば、従来のデータ表示方法（その１）の説明図である図２０に示されているように、音楽データ「ａｂｃ」、「ａｅｇ」、「ａｈｉ」、「ｂｋｌ」、「ｂｎｏ」…を、グループＸ１、Ｘ２…にグループ分けしてアイコン表示するデータ表示方法がある。
【０００６】
また、従来のデータ表示方法（その２）の説明図である図２１に示されているように、音楽データ「ａｂｃ」、「ａｅｇ」、「ａｈｉ」、「ｂｋｌ」、「ｂｎｏ」…を、検索ルールＹ１、Ｙ２…にしたがってデータ検索してアイコン表示するデータ表示方法がある。
【０００７】
【発明が解決しようとする課題】
しかしながら、従来のデータ表示方法には、一度表示が確定してしまうと表示されたアイコンが画面上で静止してしまう（図２０〜２１参照）ため、表示内容がユーザにとって把握しづらいことがあるという課題があった。
【０００８】
本発明は、上記従来のこのような課題を考慮し、たとえばパーソナルコンピュータのアイコン表示などにおいて、ユーザにとってより表示内容が把握しやすいデータ表示を行うことができる表示装置、表示方法、プログラム、および媒体を提供することを目的とするものである。
【０００９】
【課題を解決するための手段】
第一の本発明は、複数の対象を所定のルールに基づいて複数のクラスに分類する分類手段と、
前記クラスにそれぞれ対応する複数の図形オブジェクトを配置する図形オブジェクト配置手段と、
前記分類手段で分類された複数の対象にそれぞれ対応する対象データの内、前記配置された図形オブジェクトに対応するルールを満足する対象に対応する対象データを、その図形オブジェクトに接触するように配置する配置手段と、
前記配置された対象データをその配置された図形オブジェクトと接触させながら動かす動かし手段と、
前記配置された図形オブジェクトを動かす図形オブジェクト動かし手段とを備え、
前記動かし手段は、前記図形オブジェクト動かし手段により前記配置された複数個の図形オブジェクトが互いに接触するように動かされた場合に、その接触するように動かされた複数個の図形オブジェクトに対応するルールを同時に満足する対象に対応する対象データを接触したままの状態にするとともに、その接触するように動かされた複数個の図形オブジェクトに対応するルールを同時には満足しない対象に対応する対象データを離反するように動かす、表示装置である。
第二の本発明は、複数の対象を所定のルールに基づいて複数のクラスに分類する分類手段と、
前記クラスにそれぞれ対応する複数の図形オブジェクトを配置する図形オブジェクト配置手段と、
前記分類手段で分類された複数の対象にそれぞれ対応する対象データの内、前記配置された図形オブジェクトに対応するルールを満足する対象に対応する対象データを、その図形オブジェクトに接触するように配置する配置手段と、
前記配置された対象データをその配置された図形オブジェクトと接触させながら動かす動かし手段と、
前記配置された図形オブジェクトを動かす図形オブジェクト動かし手段とを備え、
前記図形オブジェクト動かし手段により複数個の図形オブジェクトが互いに接触しないように配置されているときに、前記複数個の図形オブジェクトのうち２以上の図形オブジェクトに対応するルールを同時に満足する対象がある場合には、前記動かし手段は、その対象に対応する対象データが前記２以上の図形オブジェクトのそれぞれに接触するときがあるように動かす、表示装置である。
【００１５】
第三の本発明は、前記対象データは、魚の形状を有する魚アイコンであり、
前記図形オブジェクトは、前記魚に対する食餌の形状を有する食餌オブジェクトである第一または第二の本発明の表示装置である。
【００１６】
第四の本発明は、前記魚アイコンの回遊する方向は、前記クラス内において同じであり、前記表示が隣接して行われるクラス間において異なるように決定される第三の本発明の表示装置である。
【００１７】
第五の本発明は、前記魚アイコンの回遊する軌道は、螺旋軌道である第四の本発明の表示装置である。
【００１８】
第六の本発明は、前記魚アイコンの回遊する周期は、ユーザの指示に応じて調節可能である第四の本発明の表示装置である。
【００１９】
第七の本発明は、前記対象は、時間に関する性質を有しており、
前記魚アイコンの回遊する速度および深度のうち少なくともいずれか一方は、対応する前記対象の時間に関する性質に応じて決定される第六または第三の本発明の表示装置である。
【００２０】
第八の本発明は、前記時間に関する性質とは、前記対象の新旧であり、
前記魚アイコンの回遊する深度は、対応する前記対象の新旧に応じて決定され、
前記回遊する深度が所定値以下の魚アイコンは、水面から飛び出す動作を行う第七の本発明の表示装置である。
【００２１】
第九の本発明は、前記魚アイコンの体表面には、対応する前記対象に関する情報が表示される第三の本発明の表示装置である。
【００２２】
第十の本発明は、前記情報の表示は、切り換え可能な複数の情報表示モードに応じて行われる第九の本発明の表示装置である。
【００２３】
第十一の本発明は、前記魚アイコンは、ユーザによって捕捉された際には震動を行う第三の本発明の表示装置である。
【００２４】
第十二の本発明は、前記魚アイコンは、ユーザによって捕捉された際には所定の生け簀領域に入れられる第三の本発明の表示装置である。
【００２５】
第十三の本発明は、前記捕捉は、前記クラスごとに一括して可能である第十一または第十二の本発明の表示装置である。
【００２７】
第十四の本発明は、複数の対象を所定のルールに基づいて複数のクラスに分類する分類ステップと、
前記クラスにそれぞれ対応する複数の図形オブジェクトを配置する図形オブジェクト配置ステップと、
前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、
前記配置された対象データをその配置された図形オブジェクトと接触させながら動かす動かしステップと、
前記配置された図形オブジェクトを動かす図形オブジェクト動かしステップとを備え、
前記動かしステップでは、前記図形オブジェクト動かしステップにより前記配置された複数個の図形オブジェクトが互いに接触するように動かされた場合に、その接触するように動かされた複数個の図形オブジェクトに対応するルールを同時に満足する対象に対応する対象データを接触したままの状態にするとともに、その接触するように動かされた複数個の図形オブジェクトに対応するルールを同時には満足しない対象に対応する対象データを離反するように動かす、表示方法である。
第十五の本発明は、複数の対象を所定のルールに基づいて複数のクラスに分類する分類ステップと、
前記クラスにそれぞれ対応する複数の図形オブジェクトを配置する図形オブジェクト配置ステップと、
前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、
前記配置された対象データをその配置された図形オブジェクトと接触させながら動かす動かしステップと、
前記配置された図形オブジェクトを動かす図形オブジェクト動かしステップとを備え、
前記図形オブジェクト動かしステップにより複数個の図形オブジェクトが互いに接触しないように配置されているときに、前記複数個の図形オブジェクトのうち２以上の図形オブジェクトに対応するルールを同時に満足する対象がある場合には、前記動かしステップは、その対象に対応する対象データが前記２以上の図形オブジェクトのそれぞれに接触するときがあるように動かす、表示方法である。
【００３０】
第十六の本発明は、第十四または第十五の本発明の表示方法の、複数の対象を所定のルールに基づいて複数のクラスに分類する分類ステップと、前記クラスにそれぞれ対応させて図形オブジェクトを配置する図形オブジェクト配置ステップと、前記分類ステップで分類された複数の対象にそれぞれ対応する対象データの内、前記配置された図形オブジェクトに対応するルールを満足する対象に対応する対象データを、その図形オブジェクトに接触するように配置する配置ステップと、前記配置された対象データをその配置された図形オブジェクトと接触させながら動かす動かしステップと、前記配置された図形オブジェクトを動かす図形オブジェクト動かしステップとをコンピュータに実行させるためのプログラムである。
【００３３】
第十七の本発明は、第十六の本発明のプログラムを記録した記録媒体であって、コンピュータにより処理可能な記録媒体である。
【００３５】
【発明の実施の形態】
以下に、本発明にかかる実施の形態について、図面を参照しつつ説明を行う。
【００３６】
（実施の形態１）
はじめに、本発明にかかる実施の形態１のデータ表示装置の構成図である図１を主として参照しながら、本実施の形態のデータ表示装置の構成について説明する。
【００３７】
本実施の形態のデータ表示装置は、音楽データ分類手段１１０と、魚アイコン表示エリア決定手段１２０と、魚アイコン配置手段１３０と、魚アイコン動かし手段１４０とを備えている。
【００３８】
なお、音楽データ分類手段１１０は本発明の分類手段に対応し、魚アイコン配置手段１３０は本発明の配置手段に対応し、魚アイコン動かし手段１４０は本発明の動かし手段に対応する。また、本実施の形態のデータ表示装置は、本発明の表示装置に対応する。
【００３９】
ここで、本実施の形態のデータ表示装置の構成についてより詳細に説明する。
【００４０】
音楽データ分類手段１１０は、表示手段１０１において魚の形状を有する魚アイコンを利用してアイコン表示されるべき、格納手段１０２に格納されている複数のＡＡＣ、ＭＰ３、ＷＭＡなどの音楽データを、その新旧に応じて「新しい」、「普通」、「古い」の三つのクラスに分類するための手段である。
【００４１】
魚アイコン表示エリア決定手段１２０は、その新旧に応じた三つのクラスに対応させて魚アイコン表示エリアを決定するための手段である。
【００４２】
魚アイコン配置手段１３０は、前述した魚アイコンを、対応する音楽データが分類されたクラスに対応させて決定された魚アイコン表示エリア内に配置するための手段である。
【００４３】
もちろん、これらの配置や表示は、ＡＡＣ、ＭＰ３、ＷＭＡなどのリアルデータそのものというよりは、サムネイルデータなどを利用して行われる（以下同様）。
【００４４】
魚アイコン動かし手段１４０は、前述した魚アイコンを、その魚アイコンが配置された魚アイコン表示エリア内で動かすための手段である。
【００４５】
後に詳述されるように、本実施の形態においては、魚アイコンＦ１１、Ｆ１２、Ｆ１３の回遊する速度および深度は、対応する音楽データの新旧に応じて決定される（図２参照）。すなわち、魚アイコンＦ１１、Ｆ１２、Ｆ１３の回遊する速度は、対応する音楽データが新しいほど速い。また、魚アイコンＦ１１、Ｆ１２、Ｆ１３の回遊する深度は、対応する音楽データが新しいほど浅い。そして、回遊する深度が所定値Ｄ以下の魚アイコンＦ１０は、水面から飛び出す動作を行うものである（図３参照）。
【００４６】
また、魚アイコンＦ１１、Ｆ１２、Ｆ１３の体表面には、切り換え可能な情報表示領域Ｒに応じ、対応する音楽データに関する曲名などの情報が表示される（図４〜５参照）。
【００４７】
つぎに、本発明にかかる実施の形態１のデータ表示装置によるデータ表示の説明図である図２を主として参照しながら、本実施の形態のデータ表示装置の動作について説明する。なお、本実施の形態のデータ表示装置の動作について説明しながら、本発明の表示方法の一実施の形態についても説明する。
【００４８】
音楽データ分類手段１１０（図１参照）は、表示手段１０１（図１参照）において魚の形状を有する魚アイコンＦ１１、Ｆ１２、Ｆ１３などを利用してアイコン表示されるべき、格納手段１０２（図１参照）に格納されている複数の音楽データを、その新旧に応じて「新しい」、「普通」、「古い」の三つのクラスに分類する（図２においては多数の魚アイコンが描出されているが、各クラスごとに一つの魚アイコンに代表的に符号を付与している）。
【００４９】
魚アイコン表示エリア決定手段１２０（図１参照）は、三つのクラス「新しい」、「普通」、「古い」に対応させて、矢印Ｘ１０で表される上下方向の軸を中心とする、それぞれのクラスに分類された音楽データの個数に応じた高さを有する円柱形状の魚アイコン表示エリアＡ１１、Ａ１２、Ａ１３をそれぞれ決定する。
【００５０】
前述したように、本実施の形態においては、魚アイコンＦ１１、Ｆ１２、Ｆ１３の回遊する深度は対応する音楽データが新しいほど浅くなる。したがって、クラス「新しい」は魚アイコン表示エリアＡ１１に対応し、クラス「普通」は魚アイコン表示エリアＡ１２に対応し、クラス「古い」は魚アイコン表示エリアＡ１３に対応する。
【００５１】
魚アイコン配置手段１３０（図１参照）は、魚アイコンＦ１１、Ｆ１２、Ｆ１３を、三つのクラス「新しい」、「普通」、「古い」に対応させてそれぞれ決定された魚アイコン表示エリアＡ１１、Ａ１２、Ａ１３内にそれぞれ配置する。
【００５２】
魚アイコン動かし手段１４０（図１参照）は、魚アイコンＦ１１、Ｆ１２、Ｆ１３を、魚アイコン表示エリアＡ１１、Ａ１２、Ａ１３内でそれぞれ動かす。
【００５３】
前述したように、本実施の形態においては、魚アイコンＦ１１、Ｆ１２、Ｆ１３の回遊する速度は、対応する音楽データが新しいほど速くなる。したがって、魚アイコンＦ１１は魚アイコンＦ１１、Ｆ１２、Ｆ１３の内では最も速い速さで矢印Ｙ１１で表される向きに回遊し、魚アイコンＦ１２はこれに次ぐ速さで矢印Ｙ１２で表される向きに回遊し、魚アイコンＦ１３は魚アイコンＦ１１、Ｆ１２、Ｆ１３の内では最も遅い速さで矢印Ｙ１１で表される向きに回遊する。
【００５４】
また、回遊する深度が所定値Ｄ以下の魚アイコンＦ１０は、クラス「新しい」に分類された音楽データの内でも特に新しい音楽データ（いわゆる新着曲と呼ぶべきもの）に対応しており、図３に示されているように、水面から飛び出す動作を一定時間ごとに行う。なお、図３は、本発明にかかる実施の形態１の回遊する深度が所定値Ｄ以下の魚アイコンＦ１０が行う水面から飛び出す動作の説明図である。
【００５５】
多くの人間は、より浅い深度を回遊する魚は活発であるとの印象を自然にもっていると考えられる。このため、上述のようなＧＵＩ（ｇｒａｐｈｉｃａｌ  ｕｓｅｒ  ｉｎｔｅｒｆａｃｅ）の設計仕様は、生理学的および人間工学的な観点からも極めて適切であり、いわゆるユーザフレンドリーな設計仕様である。
【００５６】
ここで、本実施の形態のデータ表示装置のＧＵＩの設計仕様について、より詳しく説明する。
【００５７】
前述したように、本実施の形態においては、魚アイコンＦ１１、Ｆ１２、Ｆ１３の体表面には、図４に示されているように、ユーザ入力にしたがってポインタＰで指定される切り換え可能な情報表示領域Ｒを通過しているときには、対応する音楽データに関する曲名などの情報（音楽データの読み込み時に自動入力されてもよいし、スキャナなどの外部デバイスを利用してユーザ入力されてもよい）が表示される。なお、図４は、本発明にかかる実施の形態１の魚アイコンＦ１１、Ｆ１２、Ｆ１３の体表面に表示される情報の説明図（その１）である。
【００５８】
また、本実施の形態においては、ユーザ設定で切り換え可能な、ノンタイトル表示モード、アーチスト表示モード、曲名表示モード、ＣＤ（ｃｏｍｐａｃｔ  ｄｉｓｋ）ジャケット画像表示モードの四つの情報表示モードが実装されている。
【００５９】
たとえば、ノンタイトル表示モードがユーザ設定された場合には、魚アイコンＦ１１、Ｆ１２、Ｆ１３があたかも実物の観賞魚が水槽中を遊泳するかのように回遊し、いわゆる癒し効果をともなったバーチャルリアリティ表示が行われる。
【００６０】
また、曲名表示モードがユーザ設定された場合には、図５に示されているように、魚アイコンＦ１１、Ｆ１２、Ｆ１３の体長が曲名の文字数に応じて一から十六文字の範囲で設定され、さらにポインタＰで指定された魚アイコンＦ１２、Ｆ１３の体表面には「ＢＬＵＥ」、「ＹＯＵ  ＤＯＮＴ  ＫＮＯＷ  ＷＨＡ」のようないわゆる電光ニュースの掲示形式によって曲名が表示される。なお、図５は、本発明にかかる実施の形態１の魚アイコンＦ１１、Ｆ１２、Ｆ１３の体表面に表示される情報の説明図（その２）である。
【００６１】
（実施の形態２）
はじめに、本発明にかかる実施の形態２のデータ表示装置の構成図である図６を主として参照しながら、本実施の形態のデータ表示装置の構成について説明する。
【００６２】
本実施の形態のデータ表示装置は、音楽データ分類手段２１０と、魚アイコン表示エリア決定手段２２０と、魚アイコン配置手段２３０と、魚アイコン動かし手段２４０とを備えている。
【００６３】
なお、音楽データ分類手段２１０は本発明の分類手段に対応し、魚アイコン配置手段２３０は本発明の配置手段に対応し、魚アイコン動かし手段２４０は本発明の動かし手段に対応する。また、本実施の形態のデータ表示装置は、本発明の表示装置に対応する。
【００６４】
ここで、本実施の形態のデータ表示装置の構成についてより詳細に説明する。
【００６５】
音楽データ分類手段２１０は、表示手段２０１において魚の形状を有する魚アイコンを利用してアイコン表示されるべき、格納手段２０２に格納されている複数のＡＡＣ、ＭＰ３、ＷＭＡなどの音楽データを、そのジャンルに応じて「クラシック」、「ポップス」、「その他」の三つのクラスに分類するための手段である。
【００６６】
魚アイコン表示エリア決定手段２２０は、そのジャンルに応じた三つのクラスに対応させて魚アイコン表示エリアを決定するための手段である。
【００６７】
魚アイコン配置手段２３０は、前述した魚アイコンを、対応する音楽データが分類されたクラスに対応させて決定された魚アイコン表示エリア内に配置するための手段である。
【００６８】
魚アイコン動かし手段２４０は、前述した魚アイコンを、その魚アイコンが配置された魚アイコン表示エリア内で動かすための手段である。
【００６９】
後に詳述されるように、本実施の形態においては、魚アイコン表示エリア同士の一部は、互いに重なり合っており、魚アイコン動かし手段２４０は、魚アイコン表示エリア同士が重なり合う部分に動かせた魚アイコンを、所定時間内に魚アイコン表示エリア同士が重なり合わない部分に動かすものである。
【００７０】
また、魚アイコンの回遊する方向は、クラス内において同じであり、表示が隣接して行われるクラス間において異なるように決定される。
【００７１】
また、魚アイコンの回遊する軌道は螺旋軌道であり、魚アイコンの回遊する周期はユーザの指示に応じて調節可能である。
【００７２】
つぎに、本発明にかかる実施の形態２のデータ表示装置によるデータ表示の説明図である図７を主として参照しながら、本実施の形態のデータ表示装置の動作について説明する。なお、本実施の形態のデータ表示装置の動作について説明しながら、本発明の表示方法の一実施の形態についても説明する。
【００７３】
音楽データ分類手段２１０（図６参照）は、表示手段２０１（図６参照）において魚の形状を有する魚アイコンＦ２１、Ｆ２２、Ｆ２３などを利用してアイコン表示されるべき、格納手段２０２（図６参照）に格納されている複数の音楽データを、そのジャンルに応じて「クラシック」、「ポップス」、「その他」の三つのクラスに分類する（図７においては多数の魚アイコンが描出されているが、各クラスごとに一つの魚アイコンに代表的に符号を付与している）。
【００７４】
魚アイコン表示エリア決定手段２２０（図６参照）は、三つのクラス「クラシック」、「ポップス」、「その他」に対応させて、矢印Ｘ２０で表される上下方向の軸を中心とする、クラスオブジェクトＯ２１、Ｏ２２、Ｏ２３の周辺の（円柱形状の）魚アイコン表示エリアをそれぞれ決定する。
【００７５】
魚アイコン配置手段２３０（図６参照）は、魚アイコンＦ２１、Ｆ２２、Ｆ２３を、三つのクラス「クラシック」、「ポップス」、「その他」に対応させてそれぞれ決定されたクラスオブジェクトＯ２１、Ｏ２２、Ｏ２３の周辺の魚アイコン表示エリア内にそれぞれ配置する。
【００７６】
魚アイコン動かし手段２４０（図６参照）は、魚アイコンＦ２１、Ｆ２２、Ｆ２３を、クラスオブジェクトＯ２１、Ｏ２２、Ｏ２３の周辺の魚アイコン表示エリア内でそれぞれ動かす。
【００７７】
前述したように、本実施の形態においては、クラスオブジェクトＯ２１、Ｏ２２、Ｏ２３の周辺の魚アイコン表示エリア同士の一部は、互いに重なり合っている。そして、魚アイコン動かし手段２４０は、（１）クラスオブジェクトＯ２１、Ｏ２２の周辺の魚アイコン表示エリア同士が重なり合う領域Ｒ２１に動かせたクラス「クラシック」、「ポップス」にそれぞれ対応する魚アイコンを所定時間内にこれら魚アイコン表示エリア同士が重なり合わない部分に動かし、（２）クラスオブジェクトＯ２１、Ｏ２３の周辺の魚アイコン表示エリア同士が重なり合う領域Ｒ２２に動かせたクラス「クラシック」、「その他」にそれぞれ対応する魚アイコンを所定時間内にこれら魚アイコン表示エリア同士が重なり合わない部分に動かす。
【００７８】
より具体的には、クラス「クラシック」に分類された音楽データに対応する魚アイコンＦ２１をはじめとした魚アイコンの回遊する方向は、そのクラス内において全て同一の矢印Ｙ２１で表される方向である。また、クラス「ポップス」に分類された音楽データに対応する魚アイコンＦ２２をはじめとした魚アイコンの回遊する方向は、そのクラス内において全て同一の矢印Ｙ２２で表される方向である。また、クラス「その他」に分類された音楽データに対応する魚アイコンＦ２３をはじめとした魚アイコンの回遊する方向は、そのクラス内において全て同一の矢印Ｙ２３で表される方向である。
【００７９】
したがって、表示が隣接して行われるクラス「クラシック」とクラス「ポップス」との間に関しては、それらに対応して決定された魚アイコン表示エリア同士が重なり合う領域Ｒ２１における、矢印Ｙ２１で表される魚アイコンＦ２１をはじめとした魚アイコンの回遊する方向と矢印Ｙ２２で表される魚アイコンＦ２２をはじめとした魚アイコンの回遊する方向とは、相異なっている。また、表示が隣接して行われるクラス「クラシック」とクラス「その他」との間に関しては、それらに対応して決定された魚アイコン表示エリア同士が重なり合う領域Ｒ２２における、矢印Ｙ２１で表される魚アイコンＦ２１をはじめとした魚アイコンの回遊する方向と矢印Ｙ２３で表される魚アイコンＦ２３をはじめとした魚アイコンの回遊する方向とは、相異なっている。
【００８０】
また、魚アイコンＦ２１、Ｆ２２、Ｆ２３の回遊する軌道は、図８に示されているように、螺旋軌道である。なお、図８は、本発明にかかる実施の形態２の魚アイコンＦ２１の回遊する軌道の説明図である。
【００８１】
多くの人間は、多数の魚アイコンが遊泳している場合にも、同一方向に回遊する一群の魚アイコンを同一のグループに所属する一群の魚アイコンとして視認することができる能力をもっていると考えられる。このため、上述のようなＧＵＩの設計仕様は、生理学的および人間工学的な観点からも極めて適切であり、いわゆるユーザフレンドリーな設計仕様である。
【００８２】
ここで、本実施の形態のデータ表示装置のＧＵＩの設計仕様について、より詳しく説明する。
【００８３】
前述したように、本実施の形態においては、魚アイコンＦ２１が螺旋軌道の下端Ｚ２１から魚アイコンが等時間間隔で出現し、螺旋軌道に沿って回遊し、螺旋軌道の上端Ｚ２２で消失する（この消失と同時に螺旋軌道の下端Ｚ２１から再び出現する）周期は、図９に示されているように、ポインタＰで指定される周期インジケータＩ２０のユーザ設定に応じて調節可能である。なお、図９は、本発明にかかる実施の形態２の魚アイコンＦ２１、Ｆ２２、Ｆ２３の回遊する周期の調節の説明図である。
【００８４】
たとえば、比較的長い周期がユーザ設定された場合には、魚アイコンＦ１１、Ｆ１２、Ｆ１３があたかも実際の観賞魚が水槽中を遊泳するかのようにゆっくりと回遊し、いわゆる癒し効果をともなったバーチャルリアリティ表示が行われる。
【００８５】
また、比較的短い周期がユーザ設定された場合には、魚アイコンＦ１１、Ｆ１２、Ｆ１３が素早く回遊し、単位時間あたりのデータ表示量が比較的多い、スクロールなどを必要とせず一覧性のより向上された自動エンドレス表示が行われる。
【００８６】
（実施の形態３）
はじめに、本発明にかかる実施の形態３のデータ表示装置の構成図である図１０を主として参照しながら、本実施の形態のデータ表示装置の構成について説明する。
【００８７】
本実施の形態のデータ表示装置は、音楽データ分類手段３１０と、食餌オブジェクト配置手段３２０と、魚アイコン配置手段３３０と、魚アイコン動かし手段３４０と、食餌オブジェクト動かし手段３５０とを備えている。
【００８８】
なお、音楽データ分類手段３１０は本発明の分類手段に対応し、食餌オブジェクト配置手段３２０は本発明の図形オブジェクト配置手段に対応し、魚アイコン配置手段３３０は本発明の配置手段に対応し、魚アイコン動かし手段３４０は本発明の動かし手段に対応し、食餌オブジェクト動かし手段３５０は本発明の図形オブジェクト動かし手段に対応する。また、本実施の形態のデータ表示装置は、本発明の表示装置に対応する。
【００８９】
ここで、本実施の形態のデータ表示装置の構成についてより詳細に説明する。
【００９０】
音楽データ分類手段３１０は、表示手段３０１において魚の形状を有する魚アイコンを利用してアイコン表示されるべき、格納手段３０２に格納されている複数のＡＡＣ、ＭＰ３、ＷＭＡなどの音楽データを、その新旧に応じて「新しい」、「普通」、「古い」の三つのクラスに分類したり、そのジャンルに応じて「クラシック」、「ポップス」、「その他」の三つのクラスに分類したりするための手段である。
【００９１】
食餌オブジェクト配置手段３２０は、ユーザ指示にしたがって、その新旧やジャンルに応じたクラスに対応させて魚に対する食餌の形状を有する食餌オブジェクトを配置するための手段である。
【００９２】
魚アイコン配置手段３３０は、分類された複数の音楽データの内、配置された食餌オブジェクトに対応するルールを満足する音楽データに対応する魚アイコンを、その食餌オブジェクトに接触するように配置するための手段である。
【００９３】
魚アイコン動かし手段３４０は、前述した魚アイコンを、その配置された食餌オブジェクトと接触させながら動かすための手段である。
【００９４】
食餌オブジェクト動かし手段３５０は、ユーザ指示にしたがって、配置された食餌オブジェクトを動かすための手段である。
【００９５】
後に詳述されるように、本実施の形態においては、魚アイコン動かし手段３４０は、配置された複数個の食餌オブジェクトが互いに接触するように動かされた場合には、その接触するように動かされた複数個の食餌オブジェクトに対応するルールを同時に満足しない音楽データに対応する魚アイコンを、その接触するように動かされた複数個の食餌オブジェクトから離反するように動かすものである。
【００９６】
つぎに、本実施の形態のデータ表示装置の動作について説明する。なお、本実施の形態のデータ表示装置の動作について説明しながら、本発明の表示方法の一実施の形態についても説明する。
【００９７】
音楽データ分類手段３１０（図１０参照）は、表示手段３０１（図１０参照）において魚の形状を有する魚アイコンＦ３１、Ｆ３２、Ｆ３３、Ｆ３４などを利用してアイコン表示されるべき、格納手段３０２（図１０参照）に格納されている複数の音楽データを、その新旧に応じて「新しい」、「普通」、「古い」の三つのクラスに分類するとともに、そのジャンルに応じて「クラシック」、「ポップス」、「その他」の三つのクラスに分類する。
【００９８】
食餌オブジェクト配置手段３２０（図１０参照）は、図１１に示されているように、ポインタＰによる食餌オブジェクト配置ウィンドウＷ３０からのユーザ操作にしたがって、クラス「新しい」に対応する食餌オブジェクトＥ３１を配置する。なお、図１１は、本発明にかかる実施の形態３のデータ表示装置によるデータ表示の説明図（その１）である。
【００９９】
魚アイコン配置手段３３０（図１０参照）は、図１２に示されているように、分類された複数の音楽データの内、配置された食餌オブジェクトＥ３１に対応するクラス「新しい」に分類されるというルールを満足する音楽データに対応する魚アイコンＦ３１、Ｆ３２、Ｆ３３を、食餌オブジェクトＥ３１に接触するように配置する。なお、図１２は、本発明にかかる実施の形態３のデータ表示装置によるデータ表示の説明図（その２）である。
【０１００】
魚アイコン動かし手段３４０（図１０参照）は、魚アイコンＦ３１、Ｆ３２、Ｆ３３を、配置された食餌オブジェクトＥ３１と接触させながら両向き矢印Ｙ３１、Ｙ３２、Ｙ３３（図１２参照）の方向に動かす。
【０１０１】
つぎに、食餌オブジェクト配置手段３２０（図１０参照）は、図１３に示されているように、ポインタＰによる食餌オブジェクト配置ウィンドウＷ３０からのユーザ操作にしたがって、クラス「ポップス」に対応する食餌オブジェクトＥ３２を配置する。なお、図１３は、本発明にかかる実施の形態３のデータ表示装置によるデータ表示の説明図（その３）である。
【０１０２】
魚アイコン配置手段３３０（図１０参照）は、図１４に示されているように、（１）先ほどと同様、配置された食餌オブジェクトＥ３１に対応するクラス「新しい」に分類されるというルールを満足する音楽データに対応する魚アイコンＦ３１、Ｆ３２、Ｆ３３を、食餌オブジェクトＥ３１に接触するように配置するとともに、（２）配置された食餌オブジェクトＥ３２に対応するクラス「ポップス」に分類されるというルールを満足する音楽データに対応する魚アイコンＦ３１、Ｆ３４を、食餌オブジェクトＥ３２に接触するように配置する。なお、図１４は、本発明にかかる実施の形態３のデータ表示装置によるデータ表示の説明図（その４）である。
【０１０３】
魚アイコン動かし手段３４０（図１０参照）は、（１）魚アイコンＦ３１、Ｆ３２、Ｆ３３を、配置された食餌オブジェクトＥ３１と接触させながら両向き矢印Ｙ３１′、Ｙ３２、Ｙ３３（図１４参照）の方向に動かすとともに、（２）魚アイコンＦ３１、Ｆ３４を、配置された食餌オブジェクトＥ３２と接触させながら両向き矢印Ｙ３１′、Ｙ３４（図１４参照）の方向に動かす。
【０１０４】
魚アイコンＦ３１に対応する音楽データは、クラス「新しい」に分類されるというルールとクラス「ポップス」に分類されるというルールとを同時に満足する。このため、魚アイコンＦ３１は、食餌オブジェクトＥ３１に接触しているときもあれば、図１４に示されているように食餌オブジェクトＥ３２に接触しているときもある。
【０１０５】
このようにして、クラス「新しい」またはクラス「ポップス」に分類される音楽データを検索するための、いわゆるＯＲ検索が行われる。
【０１０６】
つぎに、食餌オブジェクト動かし手段３５０（図１０参照）は、ポインタＰでのドラッグによるユーザ操作にしたがって、食餌オブジェクトＥ３１と食餌オブジェクトＥ３２とを互いに接触するように動かす。
【０１０７】
魚アイコン動かし手段３４０は、図１５に示されているように、食餌オブジェクトＥ３１に対応するクラス「新しい」に分類されるというルールと食餌オブジェクトＥ３２に対応するクラス「ポップス」に分類されるというルールとを同時に満足する音楽データに対応する魚アイコンＦ３１を、食餌オブジェクトＥ３１、Ｅ３２に接触するように動かす。なお、図１５は、本発明にかかる実施の形態３のデータ表示装置によるデータ表示の説明図（その５）である。
【０１０８】
前述したように、本実施の形態においては、魚アイコン動かし手段３４０は、その接触するように動かされた二個の食餌オブジェクトＥ３１、Ｅ３２に対応する前述のルールを同時に満足しない音楽データに対応する魚アイコンを、食餌オブジェクトＥ３１、Ｅ３２から離反するように動かす。
【０１０９】
また、魚アイコン動かし手段３４０（図１０参照）は、魚アイコンＦ３１を、配置された食餌オブジェクトＥ３１と接触させながら両向き矢印Ｙ３１″（図１５参照）の方向に動かす。
【０１１０】
このようにして、クラス「新しい」およびクラス「ポップス」に分類される音楽データを検索するための、いわゆるＡＮＤ検索が行われる。
【０１１１】
（実施の形態４）
はじめに、本発明にかかる実施の形態４のデータ表示装置の構成図である図１６を参照しながら、本実施の形態のデータ表示装置の構成について説明する。
【０１１２】
本実施の形態のデータ表示装置は、音楽データ分類手段４１０と、表示色データ決定手段４２０と、魚アイコン動かし手段４３０とを備えている。
【０１１３】
なお、音楽データ分類手段４１０は本発明の分類手段に対応し、魚アイコン動かし手段４３０は本発明の動かし手段に対応する。また、本実施の形態のデータ表示装置は、本発明の表示装置に対応する。
【０１１４】
ここで、本実施の形態のデータ表示装置の構成についてより詳細に説明する。
【０１１５】
音楽データ分類手段４１０は、表示手段４０１において魚の形状を有する魚アイコンを利用してアイコン表示されるべき、格納手段４０２に格納されている複数のＡＡＣ、ＭＰ３、ＷＭＡなどの音楽データを、その新旧に応じて「新しい」、「普通」、「古い」の三つのクラスに分類するための手段である。
【０１１６】
表示色データ決定手段４２０は、その新旧に応じた「新しい」、「普通」、「古い」の三つのクラスに対応させて、順に「明るい」、「普通」、「暗い」の相異なる三つの表示色データを決定するための手段である。
【０１１７】
魚アイコン動かし手段４３０は、分類された複数の音楽データに対応する魚アイコンを、その音楽データが分類された三つのクラス「新しい」、「普通」、「古い」に対応させて決定された三つの表示色データ「明るい」、「普通」、「暗い」に基づいて動かすための手段である。
【０１１８】
後に詳述されるように、本実施の形態においては、魚アイコンは、ユーザ入力にしたがって移動するポインタＰによって捕捉されると震動を行うものである（図１７参照）。
【０１１９】
また、魚アイコンはユーザによって捕捉されると生け簀の形状を有する生け簀領域Ｒ４０に入れられ、そのような捕捉は前述のクラスごとに一括して行うことも可能なものである（図１８参照）。
【０１２０】
つぎに、本発明にかかる実施の形態４のデータ表示装置によるデータ表示の説明図である図１７を主として参照しながら、本実施の形態のデータ表示装置の動作について説明する。なお、本実施の形態のデータ表示装置の動作について説明しながら、本発明の表示方法の一実施の形態についても説明する。
【０１２１】
音楽データ分類手段４１０（図１６参照）は、表示手段４０１（図１６参照）において魚の形状を有する魚アイコンＦ４１、Ｆ４２、Ｆ４３などを利用してアイコン表示されるべき、格納手段４０２（図１６参照）に格納されている複数の音楽データを、その新旧に応じて「新しい」、「普通」、「古い」の三つのクラスに分類する（図１７においては多数の魚アイコンが描出されているが、各クラスごとに一つの魚アイコンに代表的に符号を付与している）。
【０１２２】
表示色データ決定手段４２０（図１６参照）は、その新旧に応じた「新しい」、「普通」、「古い」の三つのクラスに対応させて、順に「明るい」、「普通」、「暗い」の相異なる三つの表示色データを決定する。
【０１２３】
魚アイコン動かし手段４３０（図１６参照）は、魚アイコンＦ４１、Ｆ４２、Ｆ４３を、その音楽データが分類された三つのクラス「新しい」、「普通」、「古い」に対応させて決定された三つの表示色データ「明るい」、「普通」、「暗い」に基づいてそれぞれ動かす。
【０１２４】
多くの人間は、より新しいものはより明るい色を有するとの印象を自然にもっていると考えられる。また、多くの人間は、多数の魚アイコンが遊泳している場合にも、一群の同一色で表示される魚アイコンを同一のグループに所属する一群の魚アイコンとして視認することができる能力をもっていると考えられる。このため、上述のようなＧＵＩの設計仕様は、生理学的および人間工学的な観点からも極めて適切であり、いわゆるユーザフレンドリーな設計仕様である。
【０１２５】
ここで、本実施の形態のデータ表示装置のＧＵＩの設計仕様について、より詳しく説明する。
【０１２６】
前述したように、本実施の形態においては、たとえば魚アイコンＦ４２は、図１７に示されているように、ポインタＰでのシングルクリックによって捕捉されると、選択状態フィードバックとして魚らしくブルブルと震動を行う。
【０１２７】
また、たとえば魚アイコンＦ４２は、図１８に示されているように、ポインタＰでのダブルクリックによって捕捉されると、魚アイコンＦ４２に対応するクラス「普通」ごと一括して選択・ドラッグされて生け簀領域Ｒ４０に入れられ、自由に遊泳するようになる。なお、図１８は、本発明にかかる実施の形態４のクラスごと一括して捕捉されて生け簀領域Ｒ４０に入れられる魚アイコンの説明図である。
【０１２８】
なお、たとえば魚アイコンＦ４２に単にポインタＰ（図１８参照）が合わせられた場合には、魚アイコンＦ４２に対応する音楽データの再生を行うためのコントロールパネル（図示省略）が表示される。
【０１２９】
以上においては、本実施の形態１〜４について詳細に説明した。
【０１３０】
なお、本発明の対象は、上述した本実施の形態においては、音楽データであった。しかし、これに限らず、本発明の対象は、たとえば、映画やテレビ番組などの映像データ、講演会記録などの音声データ、ゲームソフトウェア、商品カタログ、教育用教材、電子書籍などであってもよい。
【０１３１】
また、本発明のクラスは、上述した本実施の形態においては、音楽データの新旧に応じた「新しい」、「普通」、「古い」の三つのクラスや、音楽データのジャンルに応じた「クラシック」、「ポップス」、「その他」の三つのクラスであった。しかし、これに限らず、本発明のクラスは、たとえば、音楽データの演奏者に応じた「男性」、「女性」の２つのクラスなどであってもよい。
【０１３２】
また、本発明の表示エリアは、上述した本実施の形態においては、円柱形状を有する魚アイコン表示エリアであった。しかし、これに限らず、本発明の表示エリアは、たとえば、角柱形状や円錐形状や球体形状などを有するエリアであってもよい。
【０１３３】
また、本発明の表示データは、上述した本実施の形態においては、「明るい」、「普通」、「暗い」の相異なる三つの表示色データであった。しかし、これに限らず、本発明の表示データは、たとえば、「三角形」、「四角形」、「五角形」の相異なる三つの表示形状データや、「大きい」、「小さい」の相異なる二つの表示寸法データであってもよい。要するに、本発明の表示データは、（１）色、（２）形、（３）大きさの内の少なくとも一つが相異なるように決定された表示を行うためのデータであればよい。
【０１３４】
また、本発明の対象データは、上述した本実施の形態においては、魚の形状を有する魚アイコンであった。しかし、これに限らず、本発明の対象データは、たとえば、彗星や人工衛星などの天体物、あひるや人間などの生物、アニメーションの登場人物などの人形の形状を有するアイコンであってもよい。
【０１３５】
また、本発明の図形オブジェクトは、上述した本実施の形態においては、魚に対する食餌の形状を有する食餌オブジェクトであった。しかし、これに限らず、本発明の図形オブジェクトは、たとえば、彗星や人工衛星などの天体物、あひるや人間などの生物、アニメーションの登場人物などの人形の形状を有するオブジェクトであってもよい。
【０１３６】
また、本発明の魚アイコンの回遊する深度は、上述した本実施の形態においては、対応する音楽データの新旧に応じて決定された。しかし、これに限らず、本発明の魚アイコンの回遊する深度は、たとえば、音楽データの曲名や演奏者名のアルファベット順序などに応じて決定されてもよい。
【０１３７】
また、本発明の魚アイコンの捕捉は、上述した本実施の形態においては、「新しい」、「普通」、「古い」の三つのクラスごとに一括して可能であった。しかし、これに限らず、本発明の魚アイコンの捕捉は、たとえば、ポインタによる魚アイコンのクリックで一匹ずつ可能であってもよい。
【０１３８】
なお、本発明の表示装置、および表示方法は、本発明にかかる実施の形態のラジオカセットテープレコーダ５００の説明図である図１９に示されているように、ラジオカセットテープレコーダ５００にグラフィックイコライザ５０１として実装することもできる。
【０１３９】
たとえば、モノクロ表示パネルとそのバックライトとを利用して、ＣＤやＭＤに記録されている演奏曲目に応じて、（ａ）適切な色彩で魚アイコンＦ５０の表示を変更したり、（ｂ）適切なテンポで（演奏曲目がアップテンポであれば速く、演奏曲目がスローテンポであれば遅くというように）魚アイコンＦ５０の泳ぎ方を変更したりしてもよい。
【０１４０】
より具体的には、ＭＤＬＰ（ｍｉｎｉ  ｄｉｓｋ  ＬＰ）では３２０分（ほぼ６０曲に相当する）の音楽記録が可能であるので、体表面に演奏曲目の曲名をそれぞれ表示された演奏曲目数分の魚アイコンを演奏順番にしたがって周遊させ、全体の演奏曲目のみならず、演奏中の曲目の曲名やつぎに演奏予定の曲目の曲名をユーザに提示してもよい。
【０１４１】
なお、発明には、上述した本発明の表示装置の全部または一部の手段（または、装置、素子、回路、部など）の機能をコンピュータにより実行させるためのプログラムであって、コンピュータと協働して動作するプログラムが含まれる。もちろん、コンピュータは、ＣＰＵなどの純然たるハードウェアに限らず、ファームウェアやＯＳ、さらに周辺機器を含むものであっても良い。
【０１４２】
また、発明には、上述した本発明の表示方法の全部または一部のステップ（または、工程、動作、作用など）の動作をコンピュータにより実行させるためのプログラムであって、コンピュータと協働して動作するプログラムが含まれる。
【０１４３】
なお、本発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【０１４４】
また、本発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【０１４５】
また、発明のプログラムを記録した、コンピュータに読みとり可能な記録媒体も発明に含まれる。また、発明のプログラムの一利用形態は、コンピュータにより読み取り可能な記録媒体に記録され、コンピュータと協働して動作する態様であっても良い。また、発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【０１４６】
なお、本発明の構成は、ソフトウェア的に実現しても良いし、ハードウェア的に実現しても良い。
【０１４７】
また、発明には、上述した本発明の表示装置の全部または一部の手段の全部または一部の機能をコンピュータにより実行させるためのプログラムを記録した記録媒体であり、コンピュータにより読み取り可能かつ読み取られた前記プログラムが前記コンピュータと協動して前記機能を実行する記録媒体が含まれる。
【０１４８】
また、本発明には、上述した本発明の表示方法の全部または一部のステップの全部または一部の動作をコンピュータにより実行させるためのプログラムを記録した記録媒体であり、コンピュータにより読み取り可能かつ読み取られた前記プログラムが前記コンピュータと協動して前記動作を実行する記録媒体が含まれる。
【０１４９】
【発明の効果】
以上述べたところから明らかなように、本発明は、たとえばパーソナルコンピュータのアイコン表示などにおいて、ユーザにとってより表示内容が把握しやすいデータ表示を行うことができるという長所を有する。
【図面の簡単な説明】
【図１】本発明にかかる実施の形態１のデータ表示装置の構成図である。
【図２】本発明にかかる実施の形態１のデータ表示装置によるデータ表示の説明図である。
【図３】本発明にかかる実施の形態１の回遊する深度が所定値Ｄ以下の魚アイコンＦ１０が行う水面から飛び出す動作の説明図である。
【図４】本発明にかかる実施の形態１の魚アイコンＦ１１、Ｆ１２、Ｆ１３の体表面に表示される情報の説明図（その１）である。
【図５】本発明にかかる実施の形態１の魚アイコンＦ１１、Ｆ１２、Ｆ１３の体表面に表示される情報の説明図（その２）である。
【図６】本発明にかかる実施の形態２のデータ表示装置の構成図である。
【図７】本発明にかかる実施の形態２のデータ表示装置によるデータ表示の説明図である。
【図８】本発明にかかる実施の形態２の魚アイコンＦ２１の回遊する軌道の説明図である。
【図９】本発明にかかる実施の形態２の魚アイコンＦ２１、Ｆ２２、Ｆ２３の回遊する周期の調節の説明図である。
【図１０】本発明にかかる実施の形態３のデータ表示装置の構成図である。
【図１１】本発明にかかる実施の形態３のデータ表示装置によるデータ表示の説明図（その１）である。
【図１２】本発明にかかる実施の形態３のデータ表示装置によるデータ表示の説明図（その２）である。
【図１３】本発明にかかる実施の形態３のデータ表示装置によるデータ表示の説明図（その３）である。
【図１４】本発明にかかる実施の形態３のデータ表示装置によるデータ表示の説明図（その４）である。
【図１５】本発明にかかる実施の形態３のデータ表示装置によるデータ表示の説明図（その５）である。
【図１６】本発明にかかる実施の形態４のデータ表示装置の構成図である。
【図１７】本発明にかかる実施の形態４のデータ表示装置によるデータ表示の説明図である。
【図１８】本発明にかかる実施の形態４のクラスごと一括して捕捉されて生け簀領域Ｒ４０に入れられる魚アイコンの説明図である。
【図１９】本発明にかかる実施の形態のラジオカセットテープレコーダ５００の説明図である。
【図２０】従来のデータ表示方法（その１）の説明図である。
【図２１】従来のデータ表示方法（その２）の説明図である。
【符号の説明】
１０１  表示手段
１０２  格納手段
１１０  音楽データ分類手段
１２０  魚アイコン表示エリア決定手段
１３０  魚アイコン配置手段
１４０  魚アイコン動かし手段
２０１  表示手段
２０２  格納手段
２１０  音楽データ分類手段
２２０  魚アイコン表示エリア決定手段
２３０  魚アイコン配置手段
２４０  魚アイコン動かし手段
３０１  表示手段
３０２  格納手段
３１０  音楽データ分類手段
３２０  食餌オブジェクト配置手段
３３０  魚アイコン配置手段
３４０  魚アイコン動かし手段
３５０  食餌オブジェクト動かし手段
４０１  表示手段
４０２  格納手段
４１０  音楽データ分類手段
４２０  表示色データ決定手段
４３０  魚アイコン動かし手段
【図１】
0004084057.tif 000002
【図２】
0004084057.tif 000003
【図３】
0004084057.tif 000004
【図４】
0004084057.tif 000005
【図５】
0004084057.tif 000006
【図６】
0004084057.tif 000007
【図７】
0004084057.tif 000008
【図８】
0004084057.tif 000009
【図９】
0004084057.tif 000010
【図１０】
0004084057.tif 000011
【図１１】
0004084057.tif 000012
【図１２】
0004084057.tif 000013
【図１３】
0004084057.tif 000014
【図１４】
0004084057.tif 000015
【図１５】
0004084057.tif 000016
【図１６】
0004084057.tif 000017
【図１７】
0004084057.tif 000018
【図１８】
0004084057.tif 000019
【図１９】
0004084057.tif 000020
【図２０】
0004084057.tif 000021
【図２１】
0004084057.tif 000022